(57)【特許請求の範囲】
【請求項１】
発振源と、
当該発振源の出力から生成される所定周波数の基準信号を第１の光ファイバに送出する基準信号送出手段と、
当該第１の光ファイバからの光を電気信号に変換する受光器、当該受光器の出力から当該基準信号成分を抽出する基準信号抽出手段、当該基準信号抽出手段の出力から搬送波を生成する搬送波生成手段、当該光中継器の動作状態を示す監視信号で当該搬送波生成手段により生成された搬送波を変調する監視信号変調手段、及び、当該監視信号変調手段の出力を第２の光ファイバ上に送出する送出手段を具備する光中継器と、
当該発振源の出力及び当該基準信号の一方から当該監視信号の搬送波と同じ周波数の復調用信号を生成する復調用信号生成手段と、
当該第２の光ファイバを伝送した光を受光する受光器と、
当該受光器の出力と、当該検復調用信号生成手段の出力とから当該監視信号を復調する監視信号復調手段
とからなることを特徴とする光中継器監視システム。
【請求項２】
当該発振源、当該基準信号送出手段、当該復調用信号生成手段及び当該監視信号復調手段が同じ端局に配置され、当該復調用信号生成手段は、当該発振源の出力から当該復調用信号を生成する請求項１に記載の光中継器監視システム。
【請求項３】
当該発振源及び当該基準信号送出手段が第１の端局に配置されると共に、当該復調用信号生成手段及び当該監視信号復調手段が第２の端局に配置され、
当該光中継器は当該第１の光ファイバからの光を当該第２の光ファイバに送出し、
当該復調用信号生成手段は、当該第１の光ファイバ及び当該第２の光ファイバを伝送した当該基準信号から当該復調用信号を生成する請求項１に記載の光中継器監視システム。
【請求項４】
当該基準信号送出手段は、当該基準信号を伝送信号光に重畳する重畳手段を有する請求項１に記載の光中継器監視システム。
【請求項５】
当該重畳手段は、当該伝送信号光とは異なる波長の、当該監視信号を搬送する光を、当該伝送信号光と合波する光合波手段からなる請求項４に記載の光中継器監視システム。
【請求項６】
当該重畳手段は、当該伝送信号光を当該基準信号に従って強度変調する光変調手段からなる請求項４に記載の光中継器監視システム。
【請求項７】
当該基準信号が単一周波数のトーン信号である請求項１に記載の光中継器監視システム。
【請求項８】
当該監視信号変調手段が、振幅シフトキーイング方式、位相シフトキーイング方式及び周波数シフトキーイング方式の何れか１の変調手段である請求項１に記載の光中継器監視システム。
【請求項９】
当該送出手段は、当該第２の光ファイバに出力される信号光を当該監視信号変調手段の出力に応じて強度変調する光変調手段である請求項１に記載の光中継器監視システム。
【請求項１０】
当該光変調手段が、当該第２の光ファイバに出力される信号の利得を当該監視信号変調手段の出力に応じて変動させる手段である請求項９に記載の光中継器監視システム。
【請求項１１】
基準信号送出装置から光ファイバ線路を介して光中継器に所定周波数の基準信号を送出する基準信号送信ステップと、
当該光中継器において、当該光中継器の監視信号を搬送する、当該基準信号の周波数とは異なる周波数の搬送波を当該基準信号から生成する搬送波生成ステップと、
当該光中継器において、当該監視信号で当該搬送波を変調する監視信号変調ステップと、
当該光中継器において、当該監視信号変調ステップによる監視信号の変調波を監視信号受信装置に向けて送信する監視信号送信ステップと、
当該監視信号受信装置において、当該搬送波と同じ周波数の復調用信号を生成する復調用信号生成ステップと、
当該監視信号受信装置において、当該光中継器から送られた監視信号変調信号を当該復調用信号により復調する監視信号復調ステップ
とからなることを特徴とする光中継器監視方法。
【請求項１２】
当該復調用信号生成ステップが、当該基準信号及び当該基準信号を生成する元になる信号源の出力の一方から当該復調用信号を生成する請求項１１に記載の光中継器監視方法。
【請求項１３】
当該基準信号送出ステップは、当該基準信号を伝送信号光に重畳する重畳ステップである請求項１１に記載の光中継器監視方法。
【請求項１４】
当該重畳ステップは、当該伝送信号光とは異なる波長の、当該監視信号を搬送する光を、当該伝送信号光と合波する光合波ステップからなる請求項１３に記載の光中継器監視方法。
【請求項１５】
当該重畳ステップは、当該伝送信号光を当該基準信号に従って強度変調する光変調ステップからなる請求項１３に記載の光中継器監視方法。
【請求項１６】
当該監視信号変調ステップが、振幅シフトキーイング方式、位相シフトキーイング方式及び周波数シフトキーイング方式の何れか１の変調ステップである請求項１１に記載の光中継器監視方法。
【請求項１７】
当該監視信号送信ステップは、伝送信号光を当該監視信号変調ステップの出力に応じて強度変調する光変調ステップである請求項１１に記載の光中継器監視方法。
【発明の詳細な説明】
【０００１】
【発明の属する技術分野】
本発明は、光中継器監視システム及び方法に関し、より具体的には、光伝送システムにおいて中継器などの監視情報を端局に転送するシステム及び方法に関する。
【０００２】
【従来の技術】
光伝送システム、特に、光信号を光増幅中継する１以上の光中継器を具備する光中継伝送システムでは、その光中継器の動作状態等を遠隔監視したり、遠隔制御したりする必要がある。光中継器の動作状態等を端局に送信する構成として、従来、各光中継器に固有の周波数又は同じ周波数の局部発振信号源を設け、その出力を中継器監視情報データで変調して端局に送信していた。
【０００３】
【発明が解決しようとする課題】
しかし、局部発振信号源は、温度変動及びエージングによってその発振周波数が変動するので、端局では、この周波数変動を見込んで受信帯域を広くとっておく必要があった。即ち、従来例では、必要以上に帯域を広くすることによって、信号電力対雑音電力比（ＳＮＲ）を劣化させていた。
【０００４】
本発明は、このような問題点を解決し、高いＳＮＲで監視信号を受信できる光中継器監視システム及び方法を提示することを目的とする。
【０００５】
【課題を解決するための手段】
本発明に係る光中継器監視システムは、発振源と、当該発振源の出力から生成される所定周波数の基準信号を第１の光ファイバに送出する基準信号送出手段と、当該第１の光ファイバからの光を電気信号に変換する受光器、当該受光器から当該基準信号成分を抽出する基準信号抽出手段、当該基準信号抽出手段の出力から搬送波を生成する搬送波生成手段、当該光中継器の動作状態を示す監視信号で当該搬送波生成手段により生成された搬送波を変調する監視信号変調手段、及び、当該監視信号変調手段の出力を第２の光ファイバ上に送出する送出手段を具備する光中継器と、当該発振源の出力及び当該基準信号の一方から当該監視信号の搬送波と同じ周波数の復調用信号を生成する復調用信号生成手段と、当該第２の光ファイバを伝送した光を受光する受光器と、当該受光器の出力と、当該検復調用信号生成手段の出力とから当該監視信号を復調する監視信号復調手段とからなることを特徴とする。
【０００６】
この構成により、光中継器の動作状態などを示す監視信号を端局に送信するための搬送波を、同じ端局又は別の端局からの基準信号を元に光中継器内で生成するので、光中継器内に局部発振器を設ける必要がなくなる。その結果、監視信号を受信する側で監視信号を搬送する搬送波の周波数変動を考慮する必要が無くなり、監視信号を受信するために不必要に広い帯域の受信装置を設けなくて良くなる。監視信号変調信号を復調するのに同期検波を使用できるので、高いＳ／Ｎ比で監視信号を復調できる。監視信号は、基準信号を送出する端局又は別の端局の何れでの受信できる。
【０００７】
基準信号を伝送信号光に重畳すれば、光ファイバ伝送路を有効活用できる。監視信号を搬送する専用光を使用すれば、信号光への悪影響を軽減できる。
【０００８】
本発明に係る光中継器監視方法は、基準信号送出装置から光ファイバ線路を介して光中継器に所定周波数の基準信号を送出する基準信号送信ステップと、当該光中継器において、当該基準信号から、当該光中継器の監視信号を搬送する、当該基準信号の周波数とは異なる周波数の搬送波を生成する搬送波生成ステップと、当該光中継器において、当該監視信号で当該搬送波を変調する監視信号変調ステップと、当該光中継器において、当該監視信号変調ステップによる監視信号の変調波を監視信号受信装置に向けて送信する監視信号送信ステップと、当該監視信号受信装置において、当該搬送波と同じ周波数の復調用信号を生成する復調用信号生成ステップと、当該監視信号受信装置において、当該光中継器から送られた監視信号変調信号を当該復調用信号により復調する監視信号復調ステップとからなることを特徴とする。
【０００９】
このような構成により、本発明に係る光中継器監視システムの場合と同様の利点が得られる。
【００１０】
【実施例】
以下、図面を参照して、本発明の実施例を詳細に説明する。
【００１１】
図１は、本発明の一実施例の概略構成ブロック図を示す。端局１０，１２間に、端局１０から端局１２に信号光を伝送する光ファイバ線路１４と、端局１２から端局１０に信号光を伝送する光ファイバ線路１６を敷設してある。そして、光ファイバ線路１４，１６の中間に光中継器１８が配置されている。説明の都合上、光ファイバ線路１４で、端局１０と光中継器１８との間の光ファイバを符号１４ａで特定し、光中継器１８と端局１２との間の光ファイバを符号１４ｂで特定する。同様に、光ファイバ線路１６で、端局１２と光中継器１８との間の光ファイバを符号１６ａで特定し、光中継器１８と端局１０との間の光ファイバを符号１６ｂで特定する。
【００１２】
端局１０の構成と動作を説明する。基準発振器２０は、光中継器１８が中継器データを含む監視信号を端局１０（又は端局１２）に向け送信する際に使用する搬送波を作成するのに使用する周波数信号（例えば、６．３７ＭＨｚ）を発生する。基準発振器２０の出力は分周器２２により分周（例えば、１／１４）されて、制御信号変調器２４に印加される。制御・処理回路２６は光中継器１８を制御する制御信号を発生し、その制御信号を制御信号変調器２４に印加する。本実施例では、端局１０は、制御信号と基準信号を時分割で光中継器１８に送信する。制御信号変調器２４は、制御信号を光中継器１８に送信すべき期間、制御・処理回路２６からの制御信号で分周器２２からの周波数信号（光中継器１８に送信する基準信号）を変調し、それ以外の期間、即ち、基準信号を光中継器１８に送信すべき期間では、分周器２２の出力をそのまま出力する。基準信号は、好ましくは、単一周波数のトーン信号である。
【００１３】
レーザ光源２７は、端局１２に送信すべき信号（例えば、１０Ｇｂｉｔ／ｓ）を搬送するレーザ光を発生し、光変調器２８は、レーザ光源２７の出力レーザ光を伝送信号で強度変調し、ＲＺ光パルス列又はＮＲＺ光パルス列を出力する。重畳器３０は、光変調器２８から出力される信号光に制御信号変調器２４の出力を重畳する。重畳方法として、具体的には、制御信号（及び基準信号）を搬送する専用波長光を使用する方法と、光変調器２８から出力される信号光の振幅を、制御信号変調器２４の出力で変調する方法があるが、これらの詳細は後述する。重畳器３０の出力光は光ファイバ線路１４の光ファイバ１４ａに入射し、これを伝送して光中継器１８に入射する。
【００１４】
他方、受光器３２は、光ファイバ線路１６から入力する光を電気信号に変換する。受光器３２に入力する信号光は、後述するように、光中継器１８の中継器データ等を含む監視信号をも搬送している。受信装置３４は、光ファイバ線路１６からの入力光を電気信号に変換し、端局１２からの信号を受信処理する。受光器３２の出力は監視信号復調器３６に入力する。分周器３８は、光中継器１８が監視信号を端局１０に伝送するのに使用する搬送波の周波数（例えば、４３．０４１ｋＨｚ）を得るような分周比（例えば、１／１４８）で、基準発振器２０の出力を分周し、監視信号復調器３６に印加する。監視信号復調器３６は、分周器３８の出力を使って受光器３２の出力から監視信号を復調する。復調された監視信号は制御・処理回路２６に供給される。
【００１５】
光中継器１８の構成と動作を説明する。光アンプ（例えば、エルビウム添加光ファイバを使用する光増幅器）４０，４２は、励起回路４４からの励起光により励起されて、それぞれ、光ファイバ１４ａ，１６ａからの信号光を光増幅する。光分岐器４６，４８は、それぞれ、光アンプ４０，４２の出力のほとんどを後段の光ファイバ１４ｂ，１６ｂに出力すると共に、一部を分岐して受光器５０，５２に供給する。受光器５０，５２は、それぞれ、光分岐器４６，４８からの光を電気信号に変換する。受光器５０，５２は、端局１０からの制御信号及び基準信号を検出できればよいので、低速のものでよい。
【００１６】
受光器５０，５２の出力はワイヤード・オアにより合成され、バンドパス・フィルタ（ＢＰＦ）５４に印加される。２つの受光器５０，５２を使用する代わりに、光分岐器４６，４８の出力光を光合波してから受光器により電気信号に変換しても良い。これにより、単一の中継器監視回路で端局１０，１２のどちらからも光中継器１８を監視できる。即ち、低コストで両方の端局１０，１２から光中継器１８を監視できる。。
【００１７】
ＢＰＦ５４は、受光器５０，５２の出力から、端局１０からの制御信号及び基準信号の周波数成分を抽出して、基準再生回路５６及び制御信号復調器５８に供給する。基準再生回路５６は、ＢＰＦ５４の出力に含まれる基準信号成分をＰＬＬにより逓倍し、その後、分周器６０が、基準再生回路５６の出力を分周して、監視信号を搬送する搬送波を作成する。即ち、基準再生回路５６及び分周器６０が搬送波生成回路となる。このような逓倍と分周により、安定した周波数の搬送波を得ることができる。勿論、基準再生回路５６は端局１０から送出される基準信号の周波数成分を抽出する狭帯域フィルタであってもよい。本実施例では、例えば、基準再生回路５６は、ＢＰＦ５４の出力の基準周波数（４５５ｋＨｚ）成分を７倍し、分周器６０は、基準再生回路５６の出力を１／７４分周する。分周器６０の出力周波数は４３．０４ｋＨｚとなる。
【００１８】
制御信号復調器５８は、ＢＰＦ５４の出力から制御信号を復調して、制御回路６２に供給する。制御回路６２は、制御信号復調器５８からの制御信号に従って、各部を制御又は監視し、監視結果を示す監視信号を監視信号変調器６４に出力する。監視信号変調器６４には分周器６０の出力が印加されている。監視信号変調器６４は、分周器６０の出力を制御回路６２からの監視信号で変調する。変調方式は、例えば、ＡＳＫ、ＦＳＫ又はＰＳＫ方式が好ましい。
【００１９】
監視信号変調器６４の出力は励起回路４４に印加される。励起回路４４は、監視信号変調器６４の出力に従って、光アンプ４０及び／又は同４２への励起光を浅く強度変調する。この結果、光ファイバ線路１６を端局１２から端局１０に向けて伝搬する信号光に監視信号変調信号が重畳されて、端局１０に伝送される。本実施例では、監視信号を端局１０に伝送するために、光アンプ４２のゲインを監視信号変調器６４の出力で変調したが、光ファイバ線路１６上でラマン増幅を発生させ、その利得を監視信号変調器６４の出力に応じて変動させる方法を使用しても良い。即ち、光ファイバ線路１６上の信号光の波長帯でラマン増幅を起こさせるポンプ光を光ファイバ線路１６に供給し、そのポンプ光の強度を、監視信号変調器６４の出力で変調する。すると、光ファイバ線路１６上を伝送する信号光のゲインが、監視信号変調器６４の出力に応じて変動することになり、光アンプ４２のゲインを変動させるのと同じ作用になる。
【００２０】
図２（Ａ）は、端局１０から光中継器への信号伝送のタイミングを示し、図２（Ｂ）は、光中継器１８から端局１０への監視信号の伝送タイミングを示す。光中継器１８は、端局１０から基準信号を受信している間に、監視信号の搬送波を生成し、監視信号を端局１０に送信する。
【００２１】
端局１０が光中継器１８に光中継器１８の動作状態を示す監視信号を端局１０に送信させるためのプロセスを説明する。
【００２２】
図２（Ａ）に図示したように、端局１０は先ず、光中継器１８に中継器制御信号を送る。中継器制御信号は、例えば、光中継器１８の動作状態を遠隔制御する信号、及び、光中継器１８の動作状態を問い合わせる信号等である。制御・処理回路２６は、所望の内容（ここでは、光中継器１８の動作状態を問い合わせる信号であるとする。）の制御信号を制御信号変調器２４に出力する。制御信号変調器２４には他に、基準発振器２０の出力を分周器２２で分周した基準信号が印加されている。制御信号変調器２４は、その基準信号を制御・処理回路２６からの制御信号で変調する。変調結果は重畳器３０に印加される。重畳器３０は、レーザ光源２７及び光変調器２８により生成される信号光に、制御信号変調器２４の出力を重畳し、光ファイバ１４ａに出力する。
【００２３】
光ファイバ１４ａを伝搬する光は、光中継器１８の光アンプ４０に入射して、光増幅され、光分岐器４６により２つに分割され、一方が後段の光ファイバ１６ｂに、他方が受光器５０に入射する。受光器５０は入射光強度を電気信号に変換し、その出力はＢＰＦ５４に印加される。ＢＰＦ５４は、受光器５０の出力から分周器２２の出力周波数の成分を抽出して、基準再生回路５６及び制御信号復調器５８に印加する。この段階では、制御信号復調器５８は、ＢＰＦ５４の出力を、制御信号変調器２４の変調方式に対応する復調方式で復調し、得られた制御信号を制御回路６２に印加する。制御回路６２は、入力する制御信号に従って各部を制御し、各部の動作状態を示すデータを収集する。
【００２４】
端局１０は、一定期間、制御信号を光中継器１８に向けて送信した後、制御信号を制御信号変調器２４に供給するのを止めて、制御信号変調器２４を無変調動作状態にする。これにより、分周器２２の出力が制御信号変調器２４を素通りして、重畳器３０に印加される。重畳器３０は、制御信号を送信する場合と同様に、レーザ光源２７及び光変調器２８により生成される信号光に、制御信号変調器２４の出力を重畳し、光ファイバ１４ａに出力する。これにより、光中継器１８が監視信号を端局１０（又は１２）に送信するための搬送波周波数を規定する基準信号が、端局１０から光中継器１８に向けて送信される。
【００２５】
制御信号の場合と同様に、光中継器１８では、ＢＰＦ５４が、受光器５０の出力から分周器２２の出力周波数の成分を抽出して、基準再生回路５６及び制御信号復調器５８に印加する。基準再生回路５６は、ＢＰＦ５４の出力（基準信号）の周波数を逓倍し、分周器６０が基準再生回路５６の出力を分周する。これにより、監視信号を端局１０（又は１２）に向けて送信するための搬送波が形成され、監視信号変調器６４に印加される。制御回路６２は、先に収集した中継器データを示す監視信号を監視信号変調器６４に印加する。監視信号変調器６４は、ＡＳＫ、ＦＳＫ又はＰＳＫ等のディジタル変調方式により、制御回路６２からの監視信号で分周器６０の出力を変調する。監視信号変調器６４の出力は励起回路４４に印加される。励起回路４４は、先に説明したように、監視信号変調器６４の出力に従って、光アンプ４０及び／又は同４２への励起光を浅く強度変調して、監視信号変調信号を光ファイバ線路１６上で端局１２から端局１０に向かう信号光に重畳し、この信号光と一緒に端局１０に送信する。
【００２６】
端局１０では、受光器３２が、光ファイバ線路１６から入力する光を電気信号に変換する。受光器３２の出力は受信装置３４と監視信号復調器３６に入力する。分周器３８は、光中継器１８が監視信号を端局１０に伝送するのに使用する搬送波の周波数（例えば、４３．０４１ｋＨｚ）を得るような分周比（例えば、１／１４８）で、基準発振器２０の出力を分周し、監視信号復調器３６に印加する。監視信号復調器３６は、分周器３８の出力を使って受光器３２の出力から監視信号を復調する。復調された監視信号は制御・処理回路２６に供給される。これにより、端局１０は、遠隔にある光中継器１８の詳細な動作状態を知ることができる。
【００２７】
ここで、分周器２２，６０，３８における分周比の関係を簡単に説明する。監視信号の搬送波としては、太平洋横断長とされる１０，０００ｋｍ長の中継伝送システムでは、光増幅器の変調特性及びこれらの多段接続による周波数特性から見て、４３ｋＨｚ帯が最良である。光中継器１８内での処理の容易さを考慮し、端局１０から光中継器１８に送信する基準信号の周波数を４５５ｋＨｚとする。基準再生回路５６は、受信した基準信号を奇数倍（具体的には、７倍）して、３．１８５ＭＨｚを生成し、分周器６０が基準再生回路５６の出力を７４分周して、４３．０４ｋＨｚを生成する。端局１０では、基準発振器２０の発振周波数を３．１８５ＭＨｚとすると、分周器２２の分周比が１／７になり、デューティ比が５０％でなくなる。デューティ比は５０％であるのが好ましいので、分周器２２の分周比１／ｎのｎを整数にする必要がある。従って、基準発振器２０の発振周波数を、４５５ｋＨｚの１４倍（＝２×７）の６．３７ＭＨｚとした。基準発振器２０の発振周波数はまた、４５５ｋＨｚの２１倍（＝３×７）の９．５５５ＭＨｚでもよい。光中継器１８の分周器６０から出力される搬送波の周波数と分周器３８の出力の周波数とを一致させるためには、分周器３８の分周比を１／１４８にすればよい。但し、基準発振器２０の発振周波数が９．５５５ＭＨｚである場合には、分周器３８の分周比を１／２２２とする。分周器３８の出力の周波数を監視信号の搬送波の周波数と一致させることにより、監視信号復調器３６で同期検波が可能になり、監視信号を容易に復調できるようになる。
【００２８】
監視信号はまた、端局１２で受信しても良い。端局１２において監視信号を復調するための構成例を、図３に示す。この場合、光中継器１８の励起回路４４は、監視信号変調器６４の出力に従って、光アンプ４０への励起光を強度変調する。
【００２９】
受光器７０は、光ファイバ１４ｂから入力する光を電気信号に変換する。受光器７０の出力は、ＢＰＦ７２及びＢＰＦ７４に印加される。ＢＰＦ７２は、端局１０から光ファイバ線路１４上に送出される基準信号成分を抽出する。ＢＰＦ７４は、光アンプ４０の利得の変調により光ファイバ線路１４に光中継器１８から送出される監視信号変調信号の周波数成分を抽出する。ＢＰＦ７２の出力は基準再生回路７６に印加される。基準再生回路７６は、光中継器１８の基準再生回路５６と同様の回路であり、ＢＰＦ７２の出力周波数をＰＬＬにより逓倍し、分周器７８が基準再生回路７６の出力を分周して、監視信号変調信号を同期検波するための周波数信号を生成する。基準再生回路７６及び分周器７８はそれぞれ、光中継器１８の基準再生回路５６及び分周器６０と同じであり、同様に機能する。即ち、分周器７８の出力周波数は、分周器６０の出力周波数と同じである。監視信号復調器８０は、分周器７８の出力をＢＰＦ７４の出力に乗算して、監視信号を同期検波する。
【００３０】
本実施例では、端局１０から光ファイバ線路１４に送出される基準信号の周波数（４５５ｋＨｚ）と、光中継器１８から端局１２に監視信号を伝送するのに使用するキャリアの周波数（４３．０４１ｋＨｚ）を上述のように異なる値にしているので、端局１２は、基準信号と監視信号搬送波とを容易に識別できる。
【００３１】
重畳器３０における信号光と基準信号（又は制御信号の変調信号）の重畳方法を簡単に説明する。図４は、伝送信号光の振幅を基準信号（又は制御信号の変調信号）で変調して伝送する構成例を示し、図５は、基準信号（又は制御信号の変調信号）を送信する専用波長を設ける構成例を示す。
【００３２】
図４を説明する。レーザ光源８２−１〜８２−ｎはそれぞれ異なる波長λ１〜λｎでレーザ発振し、光変調器８４−１〜８４−ｎは、各レーザ光源８２−１〜８２−ｎの出力光を伝送信号＃１〜＃ｎで強度変調する。合波器８６は、光変調器８４−１〜８４−ｎの出力光を合波する。光変調器８８は、合波器８６の出力を制御信号変調器２４の出力（即ち、基準信号又は制御信号変調信号）で、浅く強度変調する。光変調器８８の出力は光ファイバ線路１４に出力される。この例では、光変調器８８が、重畳器３０となる。図１に示す実施例の光中継器１８の構成は、図５に示す重畳方式に対応するものである。
【００３３】
図５を説明する。レーザ光源９０−１〜９０−ｎはそれぞれ異なる波長λ１〜λｎでレーザ発振し、光変調器９２−１〜９２−ｎは、各レーザ光源９０−１〜９０−ｎの出力光を伝送信号＃１〜＃ｎで強度変調する。また、レーザ光源９４は、信号光の波長λ１〜λｎのどれとも異なる波長λａでレーザ発振し、光変調器９６が、レーザ光源９４の出力光を、制御信号変調器２４の出力（即ち、基準信号又は制御信号変調信号）で強度変調する。合波器９８は、光変調器９２−１〜９２−ｎ及び光変調器９６の出力光を合波して、光ファイバ線路１４に出力する。この例では、レーザ光源９４、光変調器９６及び合波器９８が、重畳器３０を構成する。光中継器１８では、波長λａを分離する光フィルタが光段に必要になる。
【００３４】
【発明の効果】
以上の説明から容易に理解できるように、本発明によれば、光中継器の動作状態などを示す監視信号を端局に送信するための搬送波を、同じ端局又は別の端局からの基準信号を元に光中継器内で生成するので、光中継器内に局部発振器を設ける必要がなくなる。その結果、監視信号受信側で監視信号を搬送する搬送波の周波数変動を考慮する必要が無くなり、監視信号を受信するために不必要に広い帯域の受信装置を設けなくて良くなる。端局で監視信号変調信号を復調するのに同期検波を使用できるので、高いＳ／Ｎ比で監視信号を復調できる。
【図面の簡単な説明】
【図１】本発明の一実施例の概略構成ブロック図である。
【図２】本実施例における制御信号、基準信号及び監視信号のタイミング・チャートであり、（Ａ）は、制御信号及び基準信号の送信シーケンスを示し、（Ｂ）は、監視信号の送信タイミングを示す。
【図３】端局１２における監視信号受信系の概略構成ブロック図である。
【図４】重畳器３０の一例の概略構成ブロック図である。
【図５】重畳器３０の別の例の概略構成ブロック図である。
【符号の説明】
１０，１２：端局
１４，１６：光ファイバ線路
１４ａ，１４ｂ，１６ａ，１６ｂ：光ファイバ
１８：光中継器
２０：基準発振器
２２：分周器
２４：制御信号変調器
２６：制御・処理回路
２７：レーザ光源
２８：光変調器
３０：重畳器
３２：受光器
３４：受信装置
３６：監視信号復調器
３８：分周器
４０，４２：光アンプ
４４：励起回路
４６，４８：光分岐器
５０，５２：受光器
５４：バンドパス・フィルタ（ＢＰＦ）
５６：基準再生回路
５８：制御信号復調器
６０：分周器
６２：制御回路
６４：監視信号変調器
７０：受光器
７２，７４：ＢＰＦ
７６：基準再生回路
７８：分周器
８０：監視信号復調器
８２−１〜８２−ｎ：レーザ光源
８４−１〜８４−ｎ：光変調器
８６：合波器
８８：光変調器
９０−１〜９０−ｎ：レーザ光源
９２−１〜９２−ｎ：光変調器
９４：レーザ光源
９６：光変調器
９８：合波器
【図１】
0003589056.tif 000002
【図２】
0003589056.tif 000003
【図３】
0003589056.tif 000004
【図４】
0003589056.tif 000005
【図５】
0003589056.tif 000006